(57)【要約】【課題】  容易に設置場所を変更でき、且つ、目隠し機能を備えた仮設トイレ設備を提供する。【解決手段】  仮設トイレ１０を少なくとも四方から見えない状態で収納できる収納部１２０を有した本体部１０１と、収納部１２０に仮設トイレ１０を収納した状態で、仮設トイレ１０の正面に位置する壁面を仮設トイレ１０の正面面積よりも大きな面積として独立させた独立パネル１２２とし、且つ、独立パネル１２２を仮設トイレ１０の正面方向にスライドして離間させることができるスライド機構を備え、仮設トイレ１０を使用する際に、この独立パネル１２２をスライドさせることによって仮設トイレ１０へのアクセス通路を確保すると共に独立パネルが目隠しとなる。【選択図】図１
2019006190.tif 000002
【特許請求の範囲】
【請求項１】
仮設トイレを少なくとも四方から見えない状態で収納できる収納部を有した本体部と、
当該収納部に前記仮設トイレを収納した状態で、当該仮設トイレの正面に位置する壁面を当該仮設トイレの正面面積よりも大きな面積として独立させた独立パネルとし、且つ、当該独立パネルを前記仮設トイレの正面方向にスライドして離間させることができるスライド機構を備え、
前記仮設トイレを使用する際に、前記独立パネルをスライドさせることによって前記仮設トイレへのアクセス通路を確保すると共に当該独立パネルが目隠しとなる
ことを特徴とする仮設トイレ収納用車載フレーム。
【請求項２】
請求項１において、
前記独立パネルをスライドさせた状態でも、当該独立パネルの一方側面は、当該独立パネルと前記本体との間が塞がれている
ことを特徴とする仮設トイレ収納用車載フレーム。
【請求項３】
請求項１または２において、
前記本体には、前記収納部とは別に、独立してアクセス可能な予備室を備える
ことを特徴とする仮設トイレ収納用車載フレーム。
【請求項４】
請求項１〜３に記載の仮設トイレ収納用車載フレームに仮設トイレを収容した車載用仮設トイレ設備。
【請求項５】
請求項４に記載の車載用仮設トイレ設備を車両の荷台に設置した移動式仮設トイレ車両。
【発明の詳細な説明】
【技術分野】
【０００１】
本発明は、建設現場等で使用される仮設トイレの技術分野に関し、特に詳しくは仮設トイレを車の荷台に設置して移動が容易な車載式の架設トイレに関するものである。
【背景技術】
【０００２】
従来から、建設現場などにおいて、作業者等が使用するための仮設トイレが広く利用されている（例えば特許文献１を参照）。
【先行技術文献】
【特許文献】
【０００３】
【特許文献１】特開２０１２−５７３８４号公報
【発明の概要】
【発明が解決しようとする課題】
【０００４】
近年、建設現場等において、男女共に働きやすい環境とする取り組みが国をあげて進められている状況にあり、その一環として、男女が共に快適に使用できるトイレの設置が求められている状況にある。快適に使用できるためには様々な側面からの配慮が必要になるが、その中の一つとして、「トイレ入り口が直接見えないような目隠しの設置」が求められている（参考：建設現場に設置する「快適トイレ」の標準仕様決定〜建設現場におけるワーク・ライフ・バランスの推進〜国土交通省）。
【０００５】
しかしながら、特許文献１に示した仮設トイレをそのまま使用する場合、建設現場等にその周りを取り囲むような目隠し等を別途設置する必要がある。また、トイレの場所を移動させる際には仮設トイレのみならずそういった付帯設備も（せっかく組み立てた付帯設備を取り壊して）再度設置し直さなければならないといった問題が生じる。
【０００６】
そこで本発明は、こういった問題点を解決するべくなされたものであって、容易に設置場所を変更でき、且つ、目隠し機能を備えた仮設トイレ設備を提供する事をその課題としている。
【課題を解決するための手段】
【０００７】
上記課題を解決するべく、本願発明は、仮設トイレを少なくとも四方から見えない状態で収納できる収納部を有した本体部と、当該収納部に前記仮設トイレを収納した状態で、当該仮設トイレの正面に位置する壁面を当該仮設トイレの正面面積よりも大きな面積として独立させた独立パネルとし、且つ、当該独立パネルを前記仮設トイレの正面方向にスライドして離間させることができるスライド機構を備え、前記仮設トイレを使用する際に、前記独立パネルをスライドさせることによって前記仮設トイレへのアクセス通路を確保すると共に当該独立パネルが目隠しとなることを特徴とする仮設トイレ収納用車載フレームを提供する。
【０００８】
このように、車両の荷台に積載することにより、場所の移動を極めて容易としている。即ち、車両の駐車スペースさえ確保できれば、そこがそのまま仮設トイレの設置場所となり、移動や設置が極めて容易となる。更に、未使用時は独立パネルを引き出さずに閉じておくことで、中に収納されている仮設トイレの存在は外部から視認することができなくなるため、それを見る者に不快な印象を与えることも無い。更に、仮設トイレを使用する際には、前記独立パネルをスライドさせるという単純な操作のみで仮設トイレへのアクセス通路が確保されると共に当該独立パネルが目隠しとなるので、使用者が人目を気にせずに仮設トイレを利用することができる。
【０００９】
また、前記独立パネルをスライドさせた状態でも、当該独立パネルの一方側面は、当該独立パネルと前記本体との間が塞がれているのが望ましい。
【００１０】
このように構成することによって、目隠し機能をより発揮させることができる。
【００１１】
また、前記本体部には、前記収納部とは別に、独立してアクセス可能な予備室を備えることを特徴とする。
【００１２】
このように構成することによって、仮設トイレの使用時に必要となる洗浄液等備品を保管しておくことが容易となる。
【００１３】
なお本願発明は、見方を変えると、上記仮設トイレ収納用車載フレームに仮設トイレを収容した車載用仮設トイレ設備として把握でき、更に、当該車載用仮設トイレ設備を車両の荷台に設置した移動式仮設トイレ車両と把握することも可能である。
【発明の効果】
【００１４】
本発明を適用することで、容易に設置場所を変更でき、且つ、目隠し機能を備えた仮設トイレ設備を提供することができる。
【図面の簡単な説明】
【００１５】
【図１】本発明の実施形態の一例である仮設トイレ収納用車載フレームを車載した状態での車両前方側からの斜視図である。
【図２】本発明の実施形態の一例である仮設トイレ収納用車載フレームを車載した状態での車両後方側からの斜視図である。
【図３】仮設トイレ収納用車載フレームの右側面図である。
【図４】仮設トイレ収納用車載フレームの正面側斜視図である。
【発明を実施するための形態】
【００１６】
以下、添付図面を参照しつつ、本発明の実施形態の一例である仮設トイレ収納用車載フレーム１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈仮設トイレ収納用車載フレームの構成〉
本発明の実施形態の一例として示した仮設トイレ収納用車載フレーム１００は、図１にも示しているように、トラック等の車両１の荷台２に載置して使用する。図面では一例として軽トラックの荷台への設置例として図示している。
【００１８】
仮設トイレ収納用車載フレーム１００は、車両１の荷台２に載置可能な大きさとされ、且つ、市販の仮設トイレ１０（簡易トイレ、屋外トイレと称される場合もあり、本来は屋外に単独で設置されて利用されるトイレユニット）を少なくとも一つ収納できる収納部１２０を備える。
【００１９】
仮設トイレ収納用車載フレーム１００は、本体部１０１と当該本体部１０１に対してスライドするスライド部１０２を備えて構成される。
【００２０】
本体部１０１は、仮設トイレ１０を収納するための収納部１２０と、洗浄液など仮設トイレ１０を使用する際の備品１２、１４をストックしておく予備室１１０に別れて構成される（図４参照）。収納部１２０には仮設トイレ１０が収納される。
【００２１】
予備室１１０には独立して当該予備室内にアクセスできるようにドア１２２が設けられており、ドアノブ１１４を把持して開閉操作を行うことが可能とされている。
【００２２】
また、収納部１２０の四方は壁面で覆われており、収納部１２０に仮設トイレ１０を収納すると、通常仮設トイレ収納用車載フレーム１００の外部から仮設トイレ１０が視認することができない構成とされている。なお。底面及び／又は天面は塞がれていてもよいし場合によっては開いていてもよい
【００２３】
収納部１２０の周りの壁面の一部、より詳しくは、当該収納部１２０に仮設トイレ１０を収納した状態で、当該仮設トイレ１０の正面に位置する壁面が、仮設トイレ１０の正面面積よりも大きな面積となるように独立しており独立パネル１２２とされている。即ち、正面側から見ると、仮設トイレ１０は独立パネル１２２の中にすっぽり隠れるように構成されている。
【００２４】
更に、この独立パネル１２２は、本体部１０１から収納する仮設トイレ１０の正面方向にスライドして離間させることが可能とされている。より具体的には、独立パネル１２２には５つのスライド梁１２５ａ、１２６ａ、１２７ａ、１２８ａ、１２９ａが取り付けられており、これらスライド梁１２５ａ、１２６ａ、１２７ａ、１２８ａ、１２９ａが本体部１０１側に備わるスライドレール１２５ｂ、１２６ｂ、１２７ｂ（一部のスライドレールは図示されていない）にそれぞれガイドされながら、スライド可能とされている（スライド機構）。
【００２５】
また、独立パネル１２２の一方側面、本実施形態において右側（車両１の後方側）には、独立パネル１２２と連続するように直角に補助パネル１２３が配置されている。また、独立パネル１２２の正面側には引き手１２４が取り付けられており、この引き手１２４を引くことによって独立パネル１２２及び補助パネル１２３を引き出すことが可能となっている。なお、これら独立パネル１２２、補助パネル１２３、引き手１２４及びスライド梁１２５ａ、１２６ａ、１２７ａ、１２８ａ、１２９ａによってスライド部１０２が構成されることとなる。
【００２６】
なお、ステップ３は着脱式となっており、仮設トイレ１０を使用する際に取り付けて使用する。
【００２７】
また、仮設トイレ収納用車載フレーム１００内に仮設トイレ１０が収容されるとそれが車載用仮設トイレ設備となり、当該設備を荷台に積載した状態で移動式仮設トイレ車両として把握される。
【００２８】
〈仮設トイレ収納用車載フレームの作用・機能〉
使い方は至ってシンプル且つ容易である。所望の場所に車両１を移動させて駐車し、仮設トイレ収納用車載フレーム１００の引き手１２４を引いてスライド部１０２（独立パネル＋補助パネル１２３）を引き出し、ステップ３を取り付ければ設置が完了する。
【００２９】
別の場所に移動したい場合は、上記とは逆の手順を行い、車両を移動させて同様の手順で設置すればよい。
【００３０】
このように本願発明は、仮設トイレ１０を少なくとも四方から見えない状態で収納できる収納部１２０を有した本体１０１と、収納部１２０に仮設トイレ１０を収納した状態で、仮設トイレ１０の正面に位置する壁面を仮設トイレ１０の正面面積よりも大きな面積として独立させた独立パネル１２２とし、且つ、当該独立パネル１２２を仮設トイレ１０の正面方向にスライドして離間させることができるスライド機構を備えている。また、仮設トイレ１０を使用する際に、独立パネル１２２をスライドさせることによって仮設トイレ１０へのアクセス通路を確保すると共に独立パネル１２２が目隠しとなるのである。
【００３１】
このように、車両１の荷台２に積載することにより、場所の移動を極めて容易としている。即ち、車両１の駐車スペースさえ確保できれば、そこがそのまま仮設トイレ１０の設置場所となり、移動や設置が極めて容易となる。更に、未使用時は独立パネル１２２を引き出さずに閉じておくことで、中に収納されている仮設トイレ１０の存在は外部から視認することができなくなるため、それを見る者に不快な印象を与えることも無い。更に、仮設トイレ１０を使用する際には、独立パネル１２２をスライドさせるという単純な操作のみで仮設トイレ１０へのアクセス通路が確保されると共に独立パネル１２２が目隠しとなるので、使用者が人目を気にせずに仮設トイレ１０を利用することができるようになっている。
【００３２】
また、独立パネル１２２をスライドさせた状態でも、当該独立パネル１２２の一方側面（上記では車両１の後方側、前方側であってもよい。）は、補助パネル１２３によって塞がれている。
【００３３】
このように構成していることによって、目隠し機能をより発揮させることができると共に、仮設トイレ１０の出入り口付近を風が強く吹き抜けることを防止できる。
【００３４】
また、本体部１０１には、収納部１２０とは別に、独立してアクセス可能な予備室１０１を備えていたが、このように構成することによって、仮設トイレ１０の使用時に必要となる洗浄液等備品を保管しておくことが容易となる。
【符号の説明】
【００３５】
１・・・車両
２・・・荷台
３・・・ステップ
１０・・・仮設トイレ
１２、１４・・・洗浄液等タンク
１００・・・仮設トイレ収納用車載フレーム
１０１・・・本体部
１０２・・・スライド部
１１０・・・予備室
１１２・・・ドア
１１４・・・ドアノブ
１２０・・・（仮設トイレ）収納部
１２２・・・独立パネル
１２３・・・補助パネル
１２４・・・引き手
１２５ａ、１２６ａ、１２７ａ、１２８ａ、１２９ａ・・・スライド梁
１２５ｂ、１２６ｂ、１２７ｂ・・・ガイドレール
【図１】
2019006190.tif 000003
【図２】
2019006190.tif 000004
【図３】
2019006190.tif 000005
【図４】
2019006190.tif 000006
【手続補正書】
【提出日】平成29年9月21日(2017.9.21)
【手続補正１】
【補正対象書類名】特許請求の範囲
【補正対象項目名】請求項２
【補正方法】変更
【補正の内容】
【請求項２】
請求項１において、
前記独立パネルをスライドさせた状態でも、当該独立パネルの一方側面側は、当該独立パネルと前記本体部との間が塞がれている
ことを特徴とする仮設トイレ収納用車載フレーム。
【手続補正２】
【補正対象書類名】特許請求の範囲
【補正対象項目名】請求項３
【補正方法】変更
【補正の内容】
【請求項３】
請求項１または２において、
前記本体部には、前記収納部とは別に、独立してアクセス可能な予備室を備える
ことを特徴とする仮設トイレ収納用車載フレーム。